(57)【特許請求の範囲】
【請求項１】
浴槽内の湯水に浸漬させて使用するものであって、底部に錘を有し下部側面に湯水の出入りを許容する開口を備えた有底円筒状の薬剤保持部と、有底円筒状であって底部が上方になる姿勢でこの薬剤保持部を上方から覆い、上記開口から薬剤保持部内へと進入する湯水の液面高さを、円筒部分に開設した空気抜き用の穴の位置によって規定するカバーとからなり、薬剤保持部に複数個の錠剤状の滅菌剤を入れた状態で浴槽内に設置される滅菌剤用容器において、薬剤保持部の上端部分を拡径させてカバーの内周面に接する漏斗部を形成し、カバーの円筒部の内周面と薬剤保持部の円筒部の外周面との間に薬剤保持部を囲繞する環状のフロート部を形成し、このフロート部の上部を漏斗部によって閉塞し、フロート部内の湯水が漏斗部から薬剤保持部内に入らないようにしたことを特徴とする滅菌剤用容器。
【請求項２】
上記漏斗部の外周面に上方に開口するＬ字状の凹部を形成すると共に、カバーの内周面に、この凹部に係合してカバーと薬剤保持部とを相互に連結する凸部を形成したことを特徴とする請求項１記載の滅菌剤用容器。
【発明の詳細な説明】
【０００１】
【発明の属する技術分野】
本発明は、例えば浴槽内に配置され、浴槽内の湯水を滅菌する滅菌剤を内蔵する滅菌剤用容器に関する。
【０００２】
【従来の技術】
このような従来の滅菌剤用容器として、図４に示すものが知られている。図４に示す従来の滅菌剤用容器は、薬剤保持器１０１と、この薬剤保持器１０１にねじ部１００によって係合するカバー１０２とか構成されている。薬剤保持器１０１の底部分には錘１０３が取り付けられており、更に側面には開口１１２が形成されている。一方、カバー１０２には穴１２１が設けられており、薬剤保持器１０１にカバー１０２を取り付けた状態で図示しない浴槽内にこの滅菌剤用容器を沈めると、浴槽内の湯水が開口１１２から薬剤保持器１０１内に進入する。このように湯水が進入すると、空気が穴１２１から押し出される。
【０００３】
ただし、薬剤保持器１０１内に進入した湯水の水位が穴１２１の高さまで上昇するとそれ以上水位は上昇しない。
【０００４】
なお、滅菌剤１０４は次亜塩素酸カルシウム（Ｃａ（ＣｌＯ）２）を図示のように直径約３ｃｍの錠剤状に成形したものである。この滅菌剤１０４を７〜８個薬剤保持器１０１内にセットし、浴槽内に入れると上述のように浴槽内の湯水が薬剤保持器１０１内に進入し、下から３個の滅菌剤１０４が湯水に水没する。湯水に水没した滅菌剤１０４は徐々に湯水に溶け出し、溶液となって開口１１２から浴槽内へと拡散する。水没している滅菌剤１０４は徐々に溶解して小さくなり、水没していない滅菌剤１０４が徐々に降下して水没していく。このように常に一定量の滅菌剤１０４が水没し、長期間にわたって安定して滅菌剤の溶液を開口１１２から浴槽内へと拡散させることができる。
【０００５】
【発明が解決しようとする課題】
上記図４に示した従来の滅菌剤用容器では、薬剤保持器１０１とカバー１０２との隙間１０５や上部隙間１０６の空気部分が浮力を発生させ、錘１０３の沈降力とこの浮力との両者の作用によって滅菌剤用容器は傾きにくくなっている。ところが、例えば浴槽内の人が滅菌剤用容器に当たると滅菌剤用容器は傾けられ、その際に穴１２１から気泡となって空気が漏れ出る。従来の滅菌剤用容器では、隙間１０５や上部隙間１０６が比較的小さいため、少しの空気が漏れ出ても、空気の減少率が大きく、そのため薬剤保持器１０１内の水位が大きく上昇し、水没する滅菌剤１０４の量が増加する。
【０００６】
また、隙間１０５から上部隙間１０６まで何らの障壁なく連通しているので、滅菌剤用容器が傾くと、隙間１０５内に進入している湯水が容易に上部隙間１０６に達し、更に上方から薬剤保持器１０１内へと湯水が入りやすい。このように上方から湯水が薬剤保持器１０１内に入ると水没していない滅菌剤１０４を濡らし、溶解させるという不具合が生じる。
【０００７】
そこで本発明は、上記の問題点に鑑み、傾いて多少空気が漏れ出ても滅菌剤の水没量が変化しにくく、かつ水没していない滅菌剤に湯水がかかりにくい滅菌剤用容器を提供することを課題とする。
【０００８】
【課題を解決するための手段】
上記課題を解決するために本発明による滅菌剤用容器は、浴槽内の湯水に浸漬させて使用するものであって、底部に錘を有し下部側面に湯水の出入りを許容する開口を備えた有底円筒状の薬剤保持部と、有底円筒状であって底部が上方になる姿勢でこの薬剤保持部を上方から覆い、上記開口から薬剤保持部内へと進入する湯水の液面高さを、円筒部分に開設した空気抜き用の穴の位置によって規定するカバーとからなり、薬剤保持部に複数個の錠剤状の滅菌剤を入れた状態で浴槽内に設置される滅菌剤用容器において、薬剤保持部の上端部分を拡径させてカバーの内周面に接する漏斗部を形成し、カバーの円筒部の内周面と薬剤保持部の円筒部の外周面との間に薬剤保持部を囲繞する環状のフロート部を形成し、このフロート部の上部を漏斗部によって閉塞し、フロート部内の湯水が漏斗部から薬剤保持部内に入らないようにしたことを特徴とする。
【０００９】
滅菌剤用容器を浴槽内に水没させると、フロート部内には空気が残留するので多少空気が漏れ出ても、空気の減少率は小さく、従って薬剤保持部内の水位の上昇が小さく抑えられる。また、フロート部は漏斗部によって閉塞されているので、フロート部内の湯水が漏斗部を越えて薬剤保持部内に進入することを防止する。
【００１０】
なお、上記漏斗部の外周面に上方に開口するＬ字状の凹部を形成すると共に、カバーの内周面に、この凹部に係合してカバーと薬剤保持部とを相互に連結する凸部を形成してもよい。
【００１１】
【発明の実施の形態】
図１を参照して、ＢＴは銭湯や旅館の大浴場に設けられている比較的大型の浴槽である。この浴槽ＢＴに本発明による滅菌剤用容器１が湯水内に水没するようにセットされている。この滅菌剤用容器１は、図２に示すように、薬剤収納器２とカバー３とから構成されている。上述の従来の滅菌剤用容器に収納されたものと同じ滅菌剤４を薬剤収納器２内に充填し、その後カバー３を上方から薬剤収納器２に被せる。
【００１２】
薬剤収納器２は有底円筒状であり、上端部分は拡径され漏斗部２２が形成されている。この漏斗部２２の外径はカバー３の内径とほとんど同じであり、従って、カバーを薬剤収納器２に被せると、漏斗部２２とカバー３の内周面との間にはほとんど隙間が生じない。
【００１３】
また、漏斗部２２の外周面には上方に開口したＬ字状の溝２３を形成した。一方、カバー３の内周面にはこの溝２３に係合する凸部３２を形成した。カバー３を薬剤収納器２に被せる際、凸部３２を溝２３内に入れる。そして、カバー３を時計回りに回転させると凸部３２は突条２３ａを乗り越えて溝２３の先端まで移動する。するとカバー３を上方に持ち上げても薬剤収納器２がカバー３から脱落しない。
【００１４】
図３に示すように、カバー３を薬剤収納器２に被せると、漏斗部２２が拡径されているので、薬剤収納器２とカバー３との間に比較的広い隙間であるフロート部６が形成される。そしてこのフロート部６の上部は漏斗部２２によって閉塞されている。なお、５は錘である。
【００１５】
図３に示すように、滅菌剤４を充填した状態で滅菌剤用容器１を水没させると浴槽ＢＴ内の湯水は開口２１から薬剤収納器２内へと進入する。薬剤収納器２内の空気は進入する湯水により押し上げられ、薬剤収納器２に設けた穴２０からフロート部６へと流れ、更にカバー３に設けた穴３１から排出される。薬剤収納器２とフロート部６とは完全に気密に区画されていないので、最終的に薬剤収納器２内の水位は穴３１の上縁まで上がり、そこで水位の上昇は停止する。
【００１６】
その状態で、例えば入浴中の人がこの滅菌剤用容器１に当たると滅菌剤用容器１は湯水中で傾く。すると、フロート部６内の空気の一部が気泡となって穴３１から漏れ出る。錘５の沈降力により滅菌剤用容器１の姿勢はすぐに直立状態に復帰し、それ以上フロート部６内の空気が漏れ出ることはない。また、フロート部６の体積は従来の滅菌剤用容器の空気部分の容積より大きいので、空気が穴３１から漏れ出ても、薬剤収納器２内の水位はあまり上昇しない。また、フロート部６の上部は漏斗部２２で閉塞されているので、滅菌剤用容器１が大きく傾いても、フロート部６内の湯水が、薬剤収納器２の上方へ回る込むことはない。更に、漏斗部２２は拡径しているので、滅菌剤４を薬剤収納器２に充填する際、充填しやすい。
【００１７】
【発明の効果】
以上の説明から明らかなように、本発明は、薬剤収納部の上端部分に漏斗部を形成し、フロート部を形成すると共にそのフロート部の上部を漏斗部で閉塞したので、滅菌剤用容器が湯水中で傾いても、薬剤収納部内の水位の上昇が少なく、また、フロート部内の湯水が薬剤収納部の上方へ回り込むことがない。更に、薬剤収納部の上端が拡径するので滅菌剤を薬剤収納部に充填しやすい。
【図面の簡単な説明】
【図１】本発明の一実施の形態の構成を示す図
【図２】分解斜視図
【図３】カバーをセットした状態を示す断面図
【図４】従来の滅菌剤用容器を示す断面図
【符号の説明】
１  滅菌剤用容器
２  薬剤収納器
３  カバー
４  滅菌剤
５  錘
６  フロート部
【図１】
0004649073.tif 000002
【図２】
0004649073.tif 000003
【図３】
0004649073.tif 000004
【図４】
0004649073.tif 000005